(57)【要約】【課題】多数の録画番組、リアルタイムの放送番組の中から視聴者が希望する番組を簡単に選択できること。【解決手段】チューナで選局した番組の映像信号を、インターネット等から取得し当該番組に対応する番組情報とともにＨＤＤ３２に記録する。ＨＤＤ３２には全部の番組情報も記録する。メニュー画面としてジャンル／お気に入りモードの選択ボタンと、ジャンルの選択ボタンを表示する。お気に入りモードの場合は、ジャンルが選択されると、当該ジャンルの最新の番組が再生、あるいは選局される。ジャンルモードの場合は、ジャンルが選択されると、当該ジャンルの番組リストが再生状態を示すステータスとともに新しい順に表示される。このリストで番組を選択すると、選択番組の視聴が開始される。【選択図】      図６
2005051493.tif 000002
【特許請求の範囲】
【請求項１】
テレビ放送を受信する手段と、
テレビ放送の番組情報を取得する手段と、
前記受信手段で受信した番組の映像信号を、前記取得手段で取得され当該番組に対応した番組情報とともに記録する手段と、
番組の種類を選択する手段と、
前記取得手段で取得された番組情報及び前記記録手段に記録された番組情報に基づいて前記選択手段で選択された種類に関する最新の番組を検索し、検索番組の視聴を開始させる手段と、
を具備する映像記録再生装置。
【請求項２】
前記取得手段はインターネットを経由して前記番組情報を取得する手段を具備する請求項１に記載の映像記録再生装置。
【請求項３】
前記取得手段はテレビ放送とともに番組情報を受信する手段を具備する請求項１に記載の映像記録再生装置。
【請求項４】
前記視聴開始された番組と同一タイトルの映像信号が前記記録手段に記録されている場合、既記録の映像情報を消去する手段をさらに具備する請求項１に記載の映像記録再生装置。
【請求項５】
前記記録手段が既記録の同一タイトルの映像信号を記録する場合、既記録の映像信号を消去する手段をさらに具備する請求項１に記載の映像記録再生装置。
【請求項６】
テレビ放送を受信する手段と、
テレビ放送の番組情報を取得する手段と、
前記受信手段で受信された番組の映像信号を、前記取得手段で取得され当該番組に対応した番組情報とともに記録する手段と、
前記記録手段に記録されている番組情報と、前記取得手段により取得された番組情報を番組の映像信号の録画状態あるいは再生状態と共に表示する手段と、
を具備する映像記録再生装置。
【請求項７】
前記取得手段はインターネットを経由して前記番組情報を取得する手段を具備する請求項６に記載の映像記録再生装置。
【請求項８】
前記取得手段はテレビ放送とともに番組情報を受信する手段を具備する請求項６に記載の映像記録再生装置。
【請求項９】
前記録画状態は、録画済、録画中、放送中を含む請求項６に記載の映像記録再生装置。
【請求項１０】
前記再生状態は、未視聴、途中まで視聴済、最後まで視聴済を含む請求項６に記載の映像記録再生装置。
【請求項１１】
前記表示手段は番組のジャンルを選択する手段と、選択されたジャンルに関する前記記録手段に記録されている番組情報と、前記取得手段により取得された番組情報を新しい順に表示する手段とを具備する請求項６に記載の映像記録再生装置。
【請求項１２】
前記表示手段で表示されている番組を選択する手段と、
前記選択手段により選択された番組の視聴を開始させる手段とをさらに具備する請求項１１に記載の映像記録再生装置。
【請求項１３】
前記視聴開始された番組と同一タイトルの映像信号が前記記録手段に記録されている場合、既記録の映像情報を消去する手段をさらに具備する請求項１２に記載の映像記録再生装置。
【請求項１４】
前記記録手段が既記録の同一タイトルの映像信号を記録する際、既記録の映像信号を消去する手段をさらに具備する請求項６に記載の映像記録再生装置。
【請求項１５】
テレビ放送の番組情報を取得するステップと、
受信した番組の映像信号を、当該番組に対応する番組情報とともに記録するステップと、
番組の種類を表示し、視聴者に種類を選択させるステップと、
前記番組情報に基づいて前記選択された種類に関する最新の番組を検索し、検索番組の視聴を開始させるステップと、
を具備する映像記録再生方法。
【請求項１６】
前記検索番組と同一タイトルの映像信号が記録されている場合、既記録の映像情報を消去するステップをさらに具備する請求項１５に記載の映像記録再生方法。
【請求項１７】
前記記録ステップが既記録の同一タイトルの映像信号を記録する場合、既記録の映像信号を消去するステップをさらに具備する請求項１５に記載の映像記録再生方法。
【請求項１８】
テレビ放送の番組情報を取得するステップと、
受信した番組の映像信号を、当該番組に対応する番組情報とともに記録するステップと、
前記記録されている番組情報と、前記取得された番組情報を番組の映像信号の録画状態あるいは再生状態と共に表示するステップと、
を具備する映像記録再生方法。
【請求項１９】
前記表示ステップは番組のジャンルを選択するステップと、選択されたジャンルに関する前記記録されている番組情報と、前記取得された番組情報を新しい順に表示するステップとを具備する請求項１８に記載の映像記録再生方法。
【請求項２０】
前記表示ステップで表示されている番組を選択するステップと、
前記選択された番組の視聴を開始させるステップとを具備する請求項１９に記載の映像記録再生方法。
【請求項２１】
前記選択番組と同一タイトルの映像信号が記録されている場合、既記録の映像情報を消去するステップをさらに具備する請求項２０に記載の映像記録再生方法。
【請求項２２】
前記記録ステップが既記録の同一タイトルの映像信号を記録する場合、既記録の映像信号を消去するステップをさらに具備する請求項１８に記載の映像記録再生方法。
【発明の詳細な説明】
【技術分野】
【０００１】
本発明はハードディスク装置等の大容量記録媒体にテレビ番組等の映像情報を記録する映像記録再生装置に関する。
【背景技術】
【０００２】
従来の映像記録再生装置において録画された録画番組を再生する時に、録画番組情報に含まれる録画開始時刻を利用して再生する方法がある（例えば、特許文献１参照）。
【０００３】
ここでは、機器起動時に機器起動時刻を記録し、機器間通信手段を用いて複数の録画再生機器から録画番組情報を受信する。受信した録画番組情報から録画開始時刻を抽出し、録画番組開始時刻と機器起動時刻とを比較する。録画開始時刻が機器起動時刻より以前であれば、録画開始時刻、録画番組名、録画時間をＣＲＴに表示するとともに、視聴者に録画番組の再生を開始するかたずねるダイアログを合せて表示する。録画開始時刻が機器起動時刻より以前でない、あるいは録画番組情報が存在しない場合には、録画番組がないことを表示する。
【０００４】
しかし、この文献では記録媒体はビデオテープを想定しており、全ての録画番組情報を録画開始時刻の新しい順に表示するだけであり、録画番組数が増えると、所望の番組を検索するのが困難であった。
【０００５】
また、この文献では機器起動時に視聴者が録画番組の再生を希望しない場合には、未視聴の録画番組情報を「未視聴録画番組リスト」として記憶することにより、複数の録画再生機器が所有する録画番組の視聴・未視聴情報を一元化して管理することができる。しかし、「未視聴録画番組リスト」は単に視聴・未視聴の別しか分からず、途中まで視聴したことを知ることが出来ない。さらに、この録画再生装置は録画情報の視聴しか想定しておらず、リアルタイムで放送されている受信映像情報を視聴する映像のソースとして選択することはできなかった。
【特許文献１】特開２００２−１８５９０４号公報（段落００１４）
【発明の開示】
【発明が解決しようとする課題】
【０００６】
このように従来の映像記録再生装置には、所望の録画番組を検索するのが困難であるという欠点がある。また、視聴対象映像としてリアルタイム放送映像を選択することができないという欠点もある。
【０００７】
本発明の目的は多数の録画番組、リアルタイムの放送番組の中から視聴者が希望する番組を簡単に選択可能である映像記録再生装置を提供することである。
【課題を解決するための手段】
【０００８】
本発明の一実施形態の映像記録再生装置は、テレビ放送を受信する手段と、テレビ放送の番組情報を取得する手段と、前記受信手段で受信した番組の映像信号を、前記取得手段で取得され当該番組に対応した番組情報とともに記録する手段と、番組の種類を選択する手段と、前記取得手段で取得された番組情報及び前記記録手段に記録された番組情報に基づいて前記選択手段で選択された種類に関する最新の番組を検索し、検索番組の視聴を開始させる手段とを具備する。
【０００９】
本発明の他の実施形態の映像記録再生装置は、テレビ放送を受信する手段と、テレビ放送の番組情報を取得する手段と、前記受信手段で受信された番組の映像信号を、前記取得手段で取得され当該番組に対応した番組情報とともに記録する手段と、前記記録手段に記録されている番組情報と、前記取得手段により取得された番組情報を番組の映像信号の録画状態あるいは再生状態と共に表示する手段とを具備する。
【００１０】
本発明の他の実施形態の映像記録再生方法は、テレビ放送の番組情報を取得するステップと、受信した番組の映像信号を、当該番組に対応する番組情報とともに記録するステップと、番組の種類を表示し、視聴者に種類を選択させるステップと、前記番組情報に基づいて前記選択された種類に関する最新の番組を検索し、検索番組の視聴を開始させるステップとを具備する。
【００１１】
本発明の他の実施形態の映像記録再生方法は、テレビ放送の番組情報を取得するステップと、受信した番組の映像信号を、当該番組に対応する番組情報とともに記録するステップと、前記記録されている番組情報と、前記取得された番組情報を番組の映像信号の録画状態あるいは再生状態と共に表示するステップとを具備する。
【発明の効果】
【００１２】
以上説明したように本発明によれば、多数の録画番組、リアルタイムの放送番組の中から視聴者が希望する番組を簡単に選択可能である映像記録再生装置を提供することができる。
【発明を実施するための最良の形態】
【００１３】
以下、図面を参照して本発明による映像記録再生装置の実施の形態を説明する。
【００１４】
第１の実施の形態
図１は本発明の第１の実施の形態に係る映像記録再生装置を含むシステム全体の構成を示す図である。本システムは、主に映像記録再生装置１、インターネット５、番組提供サイト６、放送局４からなる。番組提供サイト６、放送局４は単数の場合を示すが、実際は複数の場合が多い。映像記録再生装置１は放送局４から放送されるテレビ放送を受信して所望の番組映像を録画するとともに、インターネット５を経由して番組情報提供サイト６からの電子番組ガイド（ＥＰＧ）情報を取得し、取得した電子番組ガイド情報を保存する。さらに、番組映像を保存する時に、属性情報として当該番組に関する電子番組ガイド情報を映像とともに記録する。映像記録再生装置１は再生映像信号、あるいは受信したリアルタイムの放送映像信号、および電子番組ガイド情報、属性情報を外部の表示装置２に供給する。また、映像記録再生装置１には選局、番組選択等の種々の操作入力のためのリモートコントローラ３が付属している。なお、テレビ放送映像は電波に限らず、有線で記録再生装置１に入力されてもよい。番組情報提供サイト６はテレビ番組に関する種々の情報からなる電子番組ガイド情報を提供する。電子番組ガイド情報は、番組のジャンル、放送日時、放送局、タイトル、内容（あらすじ）、番組の特徴を示す代表的なシーンからなる代表画像等からなる。ジャンルはドラマ、スポーツ、音楽、料理、天気予報、アニメ、クイズ、ニュース、ドキュメンタリー、映画等を含む。なお、電子番組ガイド情報は専門の提供サイト６からインターネット５を介して配信するのではなく、放送局４から放送映像とともに放送波に乗せて配信しても良い。表示装置２は記録再生装置１と別体ではなく、一体であってもよい。
【００１５】
図２は映像記録再生装置１の構成を示すブロック図である。ＣＰＵバス１８にＣＰＵ４２、ＲＯＭ４４、ＲＡＭ４６、ＭＰＥＧエンコーダ１６、赤外線受信部２０、ネットワークコントローラ２６、ハードディスクドライブ（ＨＤＤ）コントローラ３０、ＭＰＥＧデコーダ３６、メニュー用ＲＡＭ３８が接続される。放送局４からの放送電波はアンテナを介してＴＶチューナ１２に入力され、ＴＶチューナ１２で選局された放送局の放送信号がＮＴＳＣデコーダ１４、ＭＰＥＧエンコーダ１６を介してＣＰＵバス１８に供給される。これにより、ＣＰＵバス１８上をＭＰＥＧ−２方式で圧縮されたテレビ映像情報が伝送される。このテレビ映像情報はランダムアクセス可能なハードディスクドライブ３２に録画される。
【００１６】
リモートコントローラ３からの指示入力を示す赤外線信号が赤外線受信部２０で受信され、ＣＰＵバス１８上に伝送される。インターネット５に接続されるコネクタ２４がネットワークコントローラ２６に接続される。番組情報提供サイト６からの電子番組ガイド情報がコネクタ２４、ネットワークコントローラ２６を介してＣＰＵバス１８上に伝送される。電子番組ガイド情報もハードディスクドライブ３２に保存される。なお、ＭＰＥＧ−２方式で圧縮されたテレビ映像情報がハードディスクドライブ３２に録画される際、当該番組の電子番組ガイド情報からなる番組属性情報が映像情報と共に記録される。番組属性情報には、録画番組の未視聴、途中まで視聴済、最後まで視聴済を含む再生状態も含まれる。本明細書のテレビ映像は音声も含む。なお、音声はＭＰＥＧ−１レイヤ２で圧縮されている。
【００１７】
ハードディスクドライブ３２から読み出されたＭＰＥＧ圧縮映像情報がＭＰＥＧデコーダ３６、Ｄ／Ａコンバータ３４を介して表示装置２へ供給されると共に、ハードディスクドライブ３２から読み出されメニュー用ＲＡＭ３８に格納された電子番組ガイド情報および番組属性情報からなるメニュー画面もＤ／Ａコンバータ３４を介して表示装置２へ供給される。
【００１８】
本映像記録再生装置１はタイマ録画機能を有し、画面に表示させた電子番組ガイド情報上で番組を選択することで予約ができる。予約は番組を個別に選択することなく、毎週同じ時間に放送される定期的な番組を１回の予約で録画する繰り返し録画や、電子番組ガイド情報からキーワードに合致する番組を自動的に検索して録画するお任せ録画機能も有する。
【００１９】
図３はリモコン３のキー配列を示す平面図である。リモコン３は、主にパワーボタン５２、ジャンルボタン５４、お気に入りボタン５６、自動消去ボタン５７、メニューボタン５８、エンターボタン６０、上下左右の矢印ボタン６２ａ、６２ｂ、６２ｃ、６２ｄ、ストップボタン６４を有する。予約録画を可能とするために記録再生装置１は常時オンしており、表示装置２の画面表示がパワーボタン５２でオン／オフされる。ジャンルボタン５４、お気に入りボタン５６はメニューモードとしてジャンルモードとお気に入りモードのいずれかを設定するためのものである。ジャンルモードとお気に入りモードの詳細は後述する。自動消去ボタンは、録画時、あるいは録画番組の再生時、放送番組の視聴時に同じタイトルの古い録画番組を消去する自動消去モード（詳細は後述）を指定するためのものである。本実施形態ではパワーボタン５２が押された時にメニュー画面が表示されるが、メニューボタン５８は任意の時にメニュー画面を表示するためのものである。エンターボタン６０は操作入力を確定するためのボタンであり、矢印ボタン６２は種々の項目を選択するためのボタンである。
【００２０】
図４を参照してパワーボタン５８がオンされた時の動作を説明する。視聴者は何か番組を視聴したい場合、パワーボタン５８を押す。ステップＳ７２で図５に示すような初期画面「ジャンル／お気に入り画面」が表示される。この画面は多数のジャンル名を示すボタンとジャンル指定無しの全ジャンルボタンを表示するとともに、メニューモード（ジャンル別モード、お気に入りモード）を示すテキスト「ジャンル／お気に入り」を表示する。テキスト表示のうち下線が付いているものが現在設定されているモードを示す。ここでは、お気に入りモードが設定されている。このモードの切換えはリモコン３のジャンルボタン５４、お気に入りボタン５６により行われる。お気に入りモードとは、ジャンルを指定するだけで、そのジャンルの最新の映像（録画映像に限らず、放送中のリアルタイム番組（未録画）も含む）の視聴を自動的に開始できるモードである。
【００２１】
そこで、お気に入りモードの場合は、図５の表示においてジャンルの指定を待つ。ジャンルの選択はリモコン３の矢印キー６２で行い、選択状態でエンターボタン６０を押すことにより選択が決定される。そのため、ステップＳ７６でジャンルが選択されたか否かが判定される。選択されると、ステップＳ７８で当該ジャンルの最新の番組をＨＤＤ３２内に記録されているテレビ映像情報の属性情報、および電子番組ガイド情報から検索する。すなわち、最も近い時刻を有する録画番組、あるいは現時刻を含む放送中の当該ジャンルのタイトルを検索する。ステップＳ８０で検索タイトルの視聴（再生／選局）が開始される。
【００２２】
このため、視聴者はお気に入りモードの場合は、ジャンルを選択するワンアクションだけで当該ジャンルの最新の映像を見ることができる。このお気に入りモードはニュース、天気予報等のリアルタイム性が高く、最新のものに意味があり、古いものは見る価値が低い番組の視聴に有効である。この方針に従い、本実施形態では自動消去モードを選択的に設定可能となっている。自動消去モードとは、これから視聴する番組と同じタイトルの番組がＨＤＤ３２に録画されている場合は、録画番組を自動的に消去するモードであり、ＨＤＤ３２の記憶容量を節約するために見る可能性の低いものを消去する。
【００２３】
ステップＳ８２で自動消去モードが設定されているか否か判定され、自動消去モードが設定されていると判断した場合は、ステップＳ８４で検索情報と同一タイトルの録画番組を消去する。ステップＳ８６でメニューボタン５８、あるいは再生停止ボタン６４が押されたことが検出されると、ステップＳ７２に戻り、ジャンル／お気に入り画面（図５）が表示される。
【００２４】
一方、ジャンルモードとは、選択されたジャンルに関する録画番組、あるいは放送中の番組に関する情報のリストを表示し、視聴者がリスト内の希望の番組を選択すると、その選択された映像の視聴を開始できるモードである。そのため、ステップＳ８８でジャンルが選択されたか否かが判定される。選択されると、ステップＳ９０で当該ジャンルの映像をＨＤＤ３２内の録画情報の属性情報および電子番組ガイド情報から検索し、最新のものから順にリスト表示する。図６にジャンルモードのリスト表示の一例を示す。ここでは、ジャンル「ドラマ」が選択されている。代表画像は電子番組ガイド情報に含まれており、ある番組の特徴を示す画像であり、視聴者に番組選択の際の便宜を提供する。ステータスは各番組の録画状態、あるいは再生状態を示すものであり、録画状態は、録画済、録画中、放送中を含み。再生状態は、未視聴、視聴途中、最後まで視聴済を含む。録画済は既に録画が終わっている番組を示し、録画中は現在録画している番組を示し、放送中は現在放送している番組を示す。未視聴は録画したが全く視聴していない番組を示し、視聴途中は録画番組を途中まで視聴したことを示し、視聴済は最後まで視聴した録画番組を示す。視聴途中、未視聴、視聴済はＨＤＤ３２の録画情報に付随している属性情報の一部に視聴時間を示すカウンタが設けられており、その値に応じて判別できる。なお、当該ジャンルの全番組をリストアップするのではなく、放送局、ステータス、登場人物等のキーワードを予め指定しておき、キーワード検索を行い、さらに絞り込んだリストを表示するようにしてもよい。
【００２５】
ジャンルモードの場合は、図６の表示においてタイトルの選択を待つ。図６の初期状態では、最新の番組（一番上の番組）がハイライト表示され、仮に選択されていることを示す。リモコン３の上下矢印キー６２ａ、６２ｃを押すことにより、ハイライトされるタイトルが上下に順次切換り、エンターボタン６０を押すことにより、その時ハイライト表示されているタイトルが選択確定される。なお、下矢印キー６２ｃを押し続けると、リストはスクロールされ、過去の番組も表示できる。ステップＳ９２でタイトルが選択されたか否かが判定される。選択されると、ステップＳ９４で選択タイトルの視聴（再生／選局）が開始される。
【００２６】
このため、視聴者はジャンルモードの場合は、ジャンルを選択すると、当該ジャンルに該当するコンテンツのみが新しい順にリスト表示されるので、視聴したい番組を短時間に検索することができる。
【００２７】
お気に入りモードの場合と同様に、ステップＳ９６で自動消去モードが設定されていると判断された場合は、ステップＳ９８で選択情報と同一タイトルの録画番組を消去する。ステップＳ１００でメニューボタン５８、あるいは再生停止ボタン６４が押されたことが検出されると、ステップＳ７２に戻り、ジャンル／お気に入り画面（図５）が表示される。
【００２８】
図７を参照して自動消去モードと同様な効果を有する録画時の動作を説明する。上述したように本実施形態では繰り返し録画機能、お任せ録画機能を有しているので、多くの番組がＨＤＤ３２に録画されてしまう。録画番組の中にはリアルタイム性が高く、最新のものに意味があり、古いものは見る価値が低い番組もある。そのため、繰り返し録画、お任せ録画の予約時間になると、録画を開始する前に、ステップＳ１０４で自動消去モードが設定されているか否か判定され、自動消去モードが設定されていると判断した場合は、ステップＳ１０６でこれらか録画する番組と同一タイトルの録画番組を消去する。例えば、ニュース、天気予報等のリアルタイム性が高く、最新のものに意味があり、古いものは見る価値が低い番組を繰り返し録画、お任せ録画する際に、これは有効である。
【００２９】
以上説明したように、実施の形態によれば、映像をハードディスクドライブ等のランダムアクセス可能な記録媒体を用いて記録、再生する装置において、図５に示すようなジャンル毎の最新タイトル（録画済タイトルに限らず、現在放送中のタイトルも含む）へのショートカットボタンを表示し、いずれかのボタンが選択されると、選択ボタンに対応する最新タイトルの視聴が開始される。また、図６に示すようなジャンル毎の検索結果を新しい順にリスト表示し、ステータスも併せて表示することにより、画面上で所望の番組を簡単に選択することができる。また、同一タイトルの最新の番組を視聴、あるいは録画する際に、過去の録画番組を消去する機能を設定しておくと、視聴する可能性の低い番組を自動的に消去することができ、ＨＤＤ３２の記憶容量を有効に利用することができる。
【００３０】
変形例
本発明は上述した実施の形態に限定されず、種々変形して実施可能である。例えば、上述の説明では、記録媒体はハードディスクドライブとしたが、これに限らず他の媒体、例えばＤＶＤ等のリムーバブルな媒体を用いてもよい。映像記録再生装置１はＣＰＵ４２とＨＤＤ３２を一体とし、表示装置２を別体としたが、ノートブック型パソコンとして一体的に構成してもよいし、ノートブック型パソコンに無線で接続され、ノートブック型パソコンの機能を拡張するワイヤレスメディアステーションとして構成してもよい。
【００３１】
本発明は、上記実施形態そのままに限定されるものではなく、実施段階ではその要旨を逸脱しない範囲で構成要素を変形して具体化できる。上記実施形態に開示されている複数の構成要素の適宜な組み合せにより種々の発明を形成できる。例えば、実施形態に示される全構成要素から幾つかの構成要素を削除してもよい。
【００３２】
また、本発明は、コンピュータに所定の手段を実行させるための（あるいはコンピュータを所定の手段として機能させるための、あるいはコンピュータに所定の機能を実現させるための）プログラムを記録したコンピュータ読取り可能な記録媒体としても実施することもできる。
【図面の簡単な説明】
【００３３】
【図１】本発明の実施の形態による映像記録再生装置を含むシステム全体を示す図。
【図２】本発明の実施の形態による映像記録再生装置のブロック図。
【図３】本発明の実施の形態によるリモコンのボタン配列を示す図。
【図４】本発明の実施の形態による視聴動作を示すフローチャート。
【図５】本発明の実施の形態のメニュー表示の初期画面を示す図。
【図６】本発明の実施の形態のジャンルモードにおけるメニュー表示の画面を示す図。
【図７】本発明の実施の形態の繰り返し録画、お任せ録画モードの動作を示すフローチャート。
【符号の説明】
【００３４】
１…映像記録再生装置、２…表示装置、３…リモコン、４…放送局、５…インターネット、６…番組情報提供サイト、３２…ハードディスクドライブ。
【図１】
2005051493.tif 000003
【図２】
2005051493.tif 000004
【図３】
2005051493.tif 000005
【図４】
2005051493.tif 000006
【図５】
2005051493.tif 000007
【図６】
2005051493.tif 000008
【図７】
2005051493.tif 000009